(57)【要約】      （修正有）【課題】携帯情報端末機器の落下や滑り落ちを防ぎ、ファッション性や便利な機能を持たせることができるストラップを提供する。【解決手段】指輪状リング１０のストラップ紐９を結わえた固定用具１を、携帯情報端末機器５の外面の螺子で固定し、指輪状リング１０を指にはめ、または指に絡めて使用できるようにする。またファッション性を高めるために指輪状リング１０には宝石等を装飾する。尚且つ指輪状リング１０のリング端部を開くことによって携帯情報端末機器本体を立ち位置で使用可能となりハンズフリーでテレビ電話や動画の視聴が気軽に楽しめるようにする。【選択図】図２
0003180079.tif 000002
【実用新案登録請求の範囲】
【請求項１】
ストラップを取り付けることができない携帯情報端末機器に取り付ける携帯情報端末機器用ストラップとして、携帯情報端末機器が手元からの落下や滑り落ちを防ぐため、ストラップ紐、前記ストラップ紐の端部を結いつけるための携帯情報端末機器対応の固定用具及びストラップ紐を指間あるいは指に絡めて落下やすべり落ちを防ぐため任意の形状をなす構造体からなる携帯情報端末機器用ストラップ。
【請求項２】
請求項１の固定用具は、携帯情報端末機器の外部に露出している複数の螺子を利用して固定するため、前記複数の螺子の長さの１／２０から１／１０の厚みの金属板または合成樹脂構造物とし、複数の螺子の相互位置関係にあわせて、前記複数の螺子の螺子径を通す貫通孔を設けた固定用具で、前記複数の螺子位置と干渉しない位置にストラップ紐を結わえる１つまたは２つの貫通孔を有する固定用具を用いた携帯情報端末機器用ストラップ。
【請求項３】
請求項１及び２の固定用具が、固定用具を介して携帯情報端末機器の外部接続用のコネクタを通す必要があるときは、固定用具の厚みはコネクタの差し込み嵌合長の１／２０から１／１０とした固定用具を用い、さらに固定用具にはコネクタ通す貫通孔をあけた固定用具とした携帯情報端末機器用ストラップ。
【請求項４】
請求項１の任意の形状をなす構造体は、人の指に装着できる指輪状の形状・構造を持つ任意の構造体を用いた携帯情報端末機器用ストラップ。
【請求項５】
請求項１及び４の任意の形状をなす構造体には貴金属または合成樹脂にて形成した任意の構造体を用いた携帯情報端末機器用ストラップ。
【請求項６】
請求項１，４及び５の携帯情報端末機器には宝石及び人造宝石にて装飾を施した任意の形状をなす構造体を用いた携帯情報端末機器用ストラップ。
【請求項７】
請求項１．４．５及び６の任意の形状をなす構造体は形状や構造を変化させることによって携帯情報端末機器を手放しで立ち位置で支えるスタンドの役目を果たす任意の形状をなす構造体を用いた情報端末機器用ストラップ。
【考案の詳細な説明】
【技術分野】
【０００１】
本考案は、ストラップが取り付けることができない携帯情報端末機器のための携帯情報末
機器用ストラップに関するものである。
【背景技術】
【０００２】
近年、人々の情報取得行動は携帯情報端末機器への依存度が高く、重要な情報等のデータを場所や時間を問わず行うため、携帯情報端末機器を気軽に持ち歩くのが現状である。
【０００３】
そのため携帯情報端末機器を落下さてしまう事故が多発している。この落下防止等の目的でストラップを取り付けることが多い。
【０００４】
しかしながら、一部の携帯情報端末機器には、落下防止等を目的としたストラップの取り付ける部位を設けていないものがある。
【０００５】
したがって、ストラップを取り付けられない携帯情報端末機器を落下等による破損から守ることが望まれ、携帯情報端末機器用ストラップの装備が携帯情報端末機器の落下等の回避に効果を持つ。
【０００６】
また、近年の携帯情報端末機器の優れた機能である動画の再生やテレビ電話等をハンズフリーで楽しみたい利用者もいる。このため普段から持ち運んでいる携帯情報端末機器用ストラップの任意の形状をなす構造体をそのままの形状や構造を変形させることにより、携帯情報端末機器を立ち位置で支えることが望まれる。
【０００７】
さらに落下防止用等の目的を兼ね備えながらも、飾り立ててファッション性を持たせたりハンズフリーでテレビの視聴を可能とするなど新しい機能を追求するストラップの需要も増えつつある。
【考案の概要】
【考案が解決しようとする課題】
【０００８】
ストラップを取り付けることができない携帯情報端末機器においては、誤って手中から滑り落ち携帯情報端末機器を落下させてしまうことが多い。
【課題を解決するための手段】
【０００９】
本考案は、ストラップが取り付けることができない携帯情報端末機器であって、携帯情報端末機器本体外面にある複数の螺子を有する機器において、前記複数の螺子を利用し、ストラップ紐を結う固定用具を携帯情報端末機器本体外面に取り付け、前記固定用具を含めて携帯情報端末機器用ストラップとすることにより落下防止用等の事故防止を図る。  
【００１０】
携帯情報端末機器用ストラップのストラップ紐の他端には、任意の形状をなす構造体に連ておくことにより携帯情報端末機器の手中から滑り落ち落下を防止できるが、特に前記任意の形状をなす構造体として、効果的に落下事故防止を図るため指輪状のリングとし、指に通しておくことを可能とすることで、ファッション性の向上のほか、落下防止の効果を一層高める。
【考案の効果】
【００１１】
携帯情報端末機器の外面にある螺子を利用し、本考案の携帯情報端末機器用ストラップの  ストラップ紐用固定用具を軽易に取り付けることができる。
【００１２】
また、前記固定用具にはごく薄い金属板や嵩張らない樹脂製構造体等を使用することにより携帯情報端末機器の外観を損ねることがなく、携帯情報端末機器へのファッション性も高い携帯情報端末機器用ストラップを提供することができる。
【００１３】
さらに、ストラップ紐の他端に連ねる任意の形状をなす構造体として、指輪状のリングとし、指で押さえることで、滑り落ちや落下防止の効果を高めることができる。
【図面の簡単な説明】
【００１４】
【図１】本考案による携帯情報端末機器用ストラップの俯瞰図である。
【図２】携帯情報端末機器に本考案による携帯情報端末機器ストラップを適用した参考図である。
【図３】別考案による任意の形状をなす構造物（指輪状のリング）で、その形状を変化させた様子を示す参考図である。
【図４】別考案による任意の形状をなす構造物（指輪状のリング）で、携帯情報端末機器を立ち位置で支える様子を示す参考図である。
【図５】別考案による任意の形状をなす構造物（指輪状のリング）で、宝石等で装飾を施こした参考図である。
【考案を実施するための形態】
【００１５】
携帯情報端末機器ストラップは、図1に示すように、固定用具、ストラップ紐、構造体連結金具及び任意の形状をなす構造体からなり、図1の任意の形状をなす構造体は指輪状のリングで示している。携帯情報端末機器ストラップの使用に先立ち、携帯情報端末機器の外にある螺子を取り外し、予め落下防止等を目的として、ストラップ紐を結わえた固定用具を、先にはずした螺子を利用して携帯情報端末機器の外面に固定することで、携帯情報端末機器ストラップとして機能させる。
【実施例】
【００１６】
以下、図１にて実施例を説明する。本考案の携帯情報端末機器ストラップ２１の組み立てには、あらかじめ任意の形状をなす構造体１０を、構造体連結金具１１を用いて、ストラップ紐９に組み立てておく、また、任意の形状をなす構造体１０を構造体連結金具１１にてストラップ紐と組み立てた状態で、固定用具１の孔４を介してストラップ紐９を結びつけておくことで、携帯情報端末機器ストラップ２１を形成しておく。
【００１７】
図1及び図２を参照に、あらかじめ取り外しておいた２個の螺子７を用いて、携帯情報端末機器ストラップ２１を螺子７により固定用具１の貫通孔３を介して携帯情報端末機器５（本考案の構成品ではない。）に固定する。
【００１８】
図1及び図２において、例示する角形貫通孔２は、固定用具１を取り付ける部位に携帯情報端末機器５の外部入出力用のコネクタがある場合の外部からのコネクタ接続部位を示す。
【００１９】
図１及び図２に示す固定用具１は、携帯情報端末機器５の螺子取り付けの構造的な配慮及び外部との接続のコネクタの電気的な接触を確保するため、螺子長さ及びコネクタの嵌合長の１／２０から１／１０の厚みの金属板又は合成樹脂構造物として、構造的及び電気的な動作の安全を確保しておく。
【００２０】
携帯情報端末機器５により、動画の再生視聴、テレビ電話を利用する際、常に手持ちではなく机上等に手放しで立てて利用することが多い、このとき携帯情報端末機器ストラップ２１の任意の形状をなす構造体１０の形状を変化させ、携帯情報端末機器５を立ち位置で利用できると長時間の利用などに疲労が少なく、使用や通話中にメモをとるなど作業が可能となる。
【００２１】
図３及び図４を参考に説明する。図３には任意の形状をなす構造体１０の形状を変化させ指輪状のリングをヒンジ付きの２リング構造の例を示しているが、２本のリング端部１０ａ及び１０ｂと開くことにより携帯情報端末機器５の背面を支える。この状態とすることによりハンズフリー通話を実現させる。
【００２２】
携帯情報端末機器ストラップ２１にファッション性を付加するには、宝石や人工宝石に貫通孔を開けストラップ紐を通し、ファッション性高める方法が通常とられるが、図５に例示するように指輪状リングの外周に宝石や人工宝石を取り付け携帯情報端末機器ストラップ２１を豪華に見せ、携帯情報端末機器ストラップ２１の購買力を高める。
【符号の説明】
【００２３】
１  固定用具
２  外部入出力コネクタ用の貫通孔
３  取り付け螺子用貫通孔
４  ストラップ紐を挿通させる為の貫通孔
５  携帯情報端末機器（本考案の構成外）
７  固定用具取り付け用螺子（本考案の構成外）
９  ストラップ紐
１０  指輪状リングで例示する任意の形状をなす構造体
１１  構造体連結金具
【図１】
0003180079.tif 000003
【図２】
0003180079.tif 000004
【図３】
0003180079.tif 000005
【図４】
0003180079.tif 000006
【図５】
0003180079.tif 000007
【手続補正書】
【提出日】平成24年6月19日(2012.6.19)
【手続補正１】
【補正対象書類名】実用新案登録請求の範囲
【補正対象項目名】全文
【補正方法】変更
【補正の内容】
【実用新案登録請求の範囲】
【請求項１】
ストラップを取り付けることができない携帯情報端末機器に取り付ける携帯情報端末機器用ストラップ（２１）として、携帯情報端末機器が手元からの落下や滑り落ちを防ぐため、携帯情報端末機器外面の螺子（７）により携帯情報端末機器外面に取り付ける固定用具（１）、構造体連結金具（１１）、ストラップ紐（９）及び指輪状リング（１０）からなる携帯情報端末機器用ストラップ（２１）であって、固定用具（１）とストラップ紐（９）とは結び合わせることでつなぎ、ストラップ紐（９）と構造体連結金具（１１）は圧接してつなぎ、さらに構造体連結金具（１１）と指輪状リング（１０）とは前記構造体連結金具（１１）を介して結合している一体のストラップであり、前記固定用具（１）を携帯情報端末機器に取り付け固定するだけで携帯情報機器が手元からの落下や滑り落ちを防ぐことができる携帯情報端末機器用ストラップ（２１）。
【請求項２】
請求項１記載の固定用具（１）は、携帯情報端末機器の外部に露出している複数の螺子（７）を利用して固定するため、前記複数の螺子（７）の長さの１／２０から１／１０の厚みの金属板または合成樹脂構造物とし、携帯情報端末機器の複数の螺子（７）の相互位置関係にあわせて、前記複数の螺子（７）の貫通孔（３）を設けた固定用具（１）で、前記複数の螺子（７）の位置と干渉しない位置にストラップ紐（９）を結わえる１つまたは２つの貫通孔（４）を有する固定用具（１）を用いた携帯情報端末機器用ストラップ（２１）。
【請求項３】
請求項１または２記載の固定用具（１）が、固定用具（１）を介して携帯情報端末機器の外部接続用のコネクタを通す必要があるときは、固定用具（１）の厚みは前記コネクタの差し込み嵌合長の１／２０から１／１０とした固定用具（１）を用い、さらに固定用具（１）には前記コネクタ通す貫通孔（２）をあけた固定用具（１）とした携帯情報端末機器用ストラップ（２１）。
【請求項４】
請求項１記載の指輪状リング（１０）は貴金属または合成樹脂からなる携帯情報端末機器用ストラップ（２１）。
【請求項５】
請求項１または４記載の指輪状リング（１０）は、宝石及び人造宝石にて装飾をほどこした指輪状リング（１２）からなる携帯情報端末機器用ストラップ（２１）。
【請求項６】
請求項１または４〜５記載の指輪状リング（１０）は形状や構造を変化させることによって携帯情報端末機器を手放しで立ち位置で支えるスタンドの役目を果たす指輪状リング（１０ａ）及び（１０ｂ）を有する指輪状リング（１０）からなる携帯情報端末機器用ストラップ（２１）。
【手続補正２】
【補正対象書類名】明細書
【補正対象項目名】全文
【補正方法】変更
【補正の内容】
【考案の詳細な説明】
【技術分野】
【０００１】
本考案は、ストラップが取り付けることができない携帯情報端末機器のための携帯情報末機器用ストラップに関するものである。
【背景技術】
【０００２】
近年、人々の情報取得行動は携帯情報端末機器への依存度が高く、重要な情報等のデータを場所や時間を問わず行うため、携帯情報端末機器を気軽に持ち歩くのが現状である。
【０００３】
そのため携帯情報端末機器を落下さてしまう事故が多発している。この落下防止等の目的でストラップを取り付けることが多い。
【０００４】
しかしながら、一部の携帯情報端末機器には、落下防止等を目的としたストラップの取り付ける部位を設けていないものがある。
【０００５】
したがって、ストラップを取り付けられない携帯情報端末機器を落下等による破損から守ることが望まれ、携帯情報端末機器用ストラップの装備が携帯情報端末機器の落下等の回避に効果を持つ。
【０００６】
また、近年の携帯情報端末機器の優れた機能である動画の再生やテレビ電話等をハンズフリーで楽しみたい利用者もいる。このため普段から持ち運んでいる携帯情報端末機器用ストラップの形状や構造を変形させることにより、携帯情報端末機器を立ち位置で支えることが望まれる。
【０００７】
さらに落下防止用等の目的を兼ね備えながらも、飾り立ててファッション性を持たせたり、ハンズフリーでテレビの視聴を可能とするなど新しい機能を追求するストラップの需要も増えつつある。
【考案の概要】
【考案が解決しようとする課題】
【０００８】
ストラップを取り付けることができない携帯情報端末機器においては、誤って手中から滑り落ち携帯情報端末機器を落下させてしまうことが多い。
【課題を解決するための手段】
【０００９】
本考案は、ストラップが取り付けることができない携帯情報端末機器（本考案の構成には含まず。）であって、携帯情報端末機器本体外面にある複数の螺子（本考案の構成には含まず。）を有する機器において、前記複数の螺子を利用し、ストラップ紐を結う固定用具を携帯情報端末機器本体外面に取り付け、前記固定用具を含めて携帯情報端末機器用ストラップとすることにより落下防止用等の事故防止を図る。
【００１０】
携帯情報端末機器用ストラップのストラップ紐の他端には構造体連結金具介して、効果的に落下事故防止を図るための指輪状リングをつなぎ、指を通しておくことを可能とすることで落下防止の効果を一層高める。
【考案の効果】
【００１１】
携帯情報端末機器の外面にある螺子を利用し、本考案の携帯情報端末機器用ストラップの固定用具を軽易に取り付けることができる。
【００１２】
また、前記固定用具にはごく薄い金属板や嵩張らない樹脂製構造体等を使用することにより携帯情報端末機器の外観を損ねることがなく、携帯情報端末機器へのファッション性が高い携帯情報端末機器用ストラップを提供することができる。
【００１３】
さらに、ストラップ紐の他端に指輪状リングをつなぎ、指を通しておくことで、滑り落ちや落下防止の効果を高めることができる。
【図面の簡単な説明】
【００１４】
【図１】本考案による携帯情報端末機器用ストラップの俯瞰図である。
【図２】携帯情報端末機器に本考案による携帯情報端末機器ストラップを適用した参考図である。
【図３】指輪状リングで、その形状を変化させた様子を示す参考図である。
【図４】指輪状リングで、携帯情報端末機器を立ち位置で支える様子を示す参考図である。
【図５】指輪状リングで、宝石等で装飾を施こした参考図である。
【考案を実施するための形態】
【００１５】
携帯情報端末機器ストラップは、図1に示すように、固定用具、ストラップ紐、構造体連結金具及び指輪状リングからなることを示している。携帯情報端末機器ストラップの使用に先立ち、予めこれらのストラップ紐、構造体連結金具及び指輪状リングを結合しておき、前記ストラップ紐と前記固定用具を結わえておく。さらに携帯情報端末機器（本考案の構成には含まず。）の外面にある螺子（本考案の構成品には含まず。）を取り外し、はずした前記螺子を利用して前記固定用具を携帯情報端末機器の外面に固定することで、携帯情報端末機器ストラップとして機能させる。
【実施例１】
【００１６】
以下、図１にて実施例を説明する。本考案の携帯情報端末機器ストラップ２１は、予めストラップ紐９と固定用具１を結び合わせ、指輪状リング１０を構造体連結金具１１を用いて、ストラップ紐９と組み立てておく。
【００１７】
図１及び図２を参照に、あらかじめ取り外しておいた情報端末機器の２個の螺子７を用いて、固定用具１の貫通孔３を介して携帯情報端末機器５に固定し、携帯情報端末機器ストラップ２１として機能させる。
【００１８】
図１及び図２において、例示する角形貫通孔２は、固定用具１を取り付ける部位に携帯情報端末機器５の外部入出力用のコネクタがある場合の外部からのコネクタ接続部位を示す。なお、角型貫通孔２は対象とする携帯情報端末機器にはコネクタが統一して使用されるため標準的に開けておくものとして、本考案では示している。
【００１９】
図１及び図２に示す固定用具１は、携帯情報端末機器５の螺子取り付けの構造的な配慮及び外部との接続のコネクタの電気的な接触を確保するため、螺子長さ及びコネクタの嵌合長の１／２０から１／１０の厚みの金属板又は合成樹脂構造物として、構造的及び電気的な動作の安全を確保しておく。
【実施例２】
【００２０】
携帯情報端末機器５により、動画の再生視聴、テレビ電話を利用する際及びハンズフリー通話を実現させる事例として、常に手持ちではなく机上等に手放しで立てて利用することが多い、このとき携帯情報端末機器ストラップ２１の指輪状リング１０の形状を変化させ、携帯情報端末機器５を立ち位置で利用できると長時間の利用などに疲労が少なく、使用や通話中にメモをとるなど作業が可能となる。
【００２１】
図３及び図４を参考に説明する。図３には指輪状リング１０の形状を変化させ指輪状リングをヒンジ付きの２リング構造の例を示しているが、２本の指輪状リンク構成１０ａ及び１０ｂを開くことにより携帯情報端末機器５の背面を支える携帯情報端末機器ストラップ２１とする。
【実施例３】
【００２２】
携帯情報端末機器ストラップ２１にファッション性を付加するには、図５に例示するように指輪状リング１０の外周に宝石や人工宝石を取り付けることにより携帯情報端末機器ストラップ２１を豪華に見せ、購買力を高める効果を期待する事例を示している。                                                    
【符号の説明】
【００２３】
１  固定用具
２  外部入出力コネクタ用の貫通孔
３  取り付け螺子用貫通孔
４  ストラップ紐を挿通させる為の貫通孔
５  携帯情報端末機器（本考案の構成品ではない。）
７  固定用具取り付け用螺子（本考案の構成品ではない。）
９  ストラップ紐
１０  指輪状リング
１１  構造体連結金具                                                                        
【手続補正３】
【補正対象書類名】図面
【補正対象項目名】図４
【補正方法】変更
【補正の内容】
【図４】
0003180079.tif 000008
【手続補正書】
【提出日】平成24年9月29日(2012.9.29)
【手続補正１】
【補正対象書類名】実用新案登録請求の範囲
【補正対象項目名】全文
【補正方法】変更
【補正の内容】
【実用新案登録請求の範囲】
【請求項１】
ストラップを取り付けることができない携帯情報端末機器に取り付ける携帯情報端末機器用ストラップ（２１）として、携帯情報端末機器が手元からの落下や滑り落ちを防ぐため、携帯情報端末機器外面の螺子（７）により携帯情報端末機器外面に取り付ける固定用具（１）、構造体連結金具（１１）、ストラップ紐（９）及び指輪状リング（１０）からなる携帯情報端末機器用ストラップ（２１）であって、固定用具（１）とストラップ紐（９）とは結び合わせることでつなぎ、ストラップ紐（９）と構造体連結金具（１１）は圧接してつなぎ、さらに構造体連結金具（１１）と指輪状リング（１０）とは前記構造体連結金具（１１）を介して結合している一体のストラップであり、前記固定用具（１）を携帯情報端末機器に取り付け固定するだけで携帯情報機器が手元からの落下や滑り落ちを防ぐことができる携帯情報端末機器用ストラップ（２１）。
【請求項２】
請求項１記載の固定用具（１）は、携帯情報端末機器の外部に露出している複数の螺子（７）を利用して固定するため、前記複数の螺子（７）の長さの１／２０から１／１０の厚みの金属板または合成樹脂構造物とし、携帯情報端末機器の複数の螺子（７）の相互位置関係にあわせて、前記複数の螺子（７）の貫通孔（３）を設けた固定用具（１）で、前記複数の螺子（７）の位置と干渉しない位置にストラップ紐（９）を結わえる１つまたは２つの貫通孔（４）を有する固定用具（１）を用いた携帯情報端末機器用ストラップ（２１）。
【請求項３】
請求項１、２のいずれか一項に記載の固定用具（１）が、固定用具（１）を介して携帯情報端末機器の外部接続用のコネクタを通す必要があるときは、固定用具（１）の厚みは前記コネクタの差し込み嵌合長の１／２０から１／１０とした固定用具（１）を用い、さらに固定用具（１）には前記コネクタ通す貫通孔（２）をあけた固定用具（１）とした携帯情報端末機器用ストラップ（２１）。
【請求項４】
請求項１記載の指輪状リング（１０）は貴金属または合成樹脂からなる携帯情報端末機器用ストラップ（２１）。
【請求項５】
請求項１、４のいずれか一項に記載の指輪状リング（１０）は、宝石及び人造宝石にて装飾をほどこした指輪状リング（１２）からなる携帯情報端末機器用ストラップ（２１）。
【請求項６】
請求項１、４、５のいずれか一項に記載の指輪状リング（１０）は２本の指輪状リング（１０ａ）、（１０ｂ）からなり、これら２本の指輪状リング（１０ａ）、（１０ｂ）はヒンジ（１３）で相互につながり、これらの指輪状リング（１０ａ）、（１０ｂ）はヒンジ（１３）の作用で開くことができ、また、これらの指輪状リング（１０ａ）、（１０ｂ）は指輪状リング（１０ａ）、（１０ｂ）に備えている爪（１４ａ）と爪受け（１４ｂ）で相互に固着することができ、携帯情報機器端末を持ち歩くときには指輪状リング（１０ａ）、（１０ｂ）を相互に固着し一体化して指に絡めてストラップとして携帯情報機器端末の落下を防止し、携帯情報機器端末を立ち位置に保持するときには指輪状リング（１０ａ）、（１０ｂ）を開き、指輪状リング（１０ａ）に備えた爪（１４ａ）と指輪状リング（１０ａ）の先端で携帯情報機器端末を立ち位置に支えることができる指輪状リング（１５）からなる携帯情報機器端末用ストラップ（２１）。
【手続補正２】
【補正対象書類名】明細書
【補正対象項目名】全文
【補正方法】変更
【補正の内容】
【考案の詳細な説明】
【技術分野】
【０００１】
本考案は、ストラップが取り付けることができない携帯情報端末機器のための携帯情報末機器用ストラップに関するものである。
【背景技術】
【０００２】
近年、人々の情報取得行動は携帯情報端末機器への依存度が高く、重要な情報等のデータを場所や時間を問わず行うため、携帯情報端末機器を気軽に持ち歩くのが現状である。
【０００３】
そのため携帯情報端末機器を落下さてしまう事故が多発しており、この落下防止等の目的でストラップを取り付けることが多い。
【０００４】
しかしながら、一部の携帯情報端末機器には、落下防止等を目的としたストラップの取り付ける部位を設けていないものがある。
【０００５】
したがって、ストラップを取り付けられない携帯情報端末機器を落下等による破損から守ることが望まれ、携帯情報端末機器用ストラップの装備が携帯情報端末機器の落下等の回避に効果を持つ。
【０００６】
また、近年の携帯情報端末機器の優れた機能である動画の再生やテレビ電話等をハンズフリーで楽しみたい利用者もおり、このため普段から持ち運んでいる携帯情報端末機器用ストラップの２本の指輪状リングを開き形状や構造を変形させることにより、携帯情報端末機器を立ち位置で支えることに携帯情報端末機器用ストラップとしての活用が望まれる。
【０００７】
さらに落下防止用等の目的を兼ね備えながらも、飾り立ててファッション性を持たせたり、指輪状リンクを開き携帯情報端末機器を支えハンズフリーでテレビの視聴を可能とするなど新しい機能を追求するストラップの需要も増えつつある。
【考案の概要】
【考案が解決しようとする課題】
【０００８】
ストラップを取り付けることができない携帯情報端末機器においては、誤って手中から滑り落ち携帯情報端末機器を落下させてしまうことが多い。
【課題を解決するための手段】
【０００９】
本考案は、ストラップが取り付けることができない携帯情報端末機器（本考案の構成には含まず。）であって、携帯情報端末機器本体外面にある複数の螺子（本考案の構成には含まず。）を有する機器において、前記複数の螺子を利用し、ストラップ紐を結う固定用具を携帯情報端末機器本体外面に取り付け、前記固定用具を含めて携帯情報端末機器用ストラップとすることにより落下防止用等の事故防止を図る。
【００１０】
携帯情報端末機器用ストラップのストラップ紐の他端には構造体連結金具介して、効果的に落下事故防止を図るための指輪状リングをつなぎ、指を通しておくことを可能とすることで落下防止の効果を一層高める。
【考案の効果】
【００１１】
携帯情報端末機器の外面にある螺子を利用し、本考案の携帯情報端末機器用ストラップの固定用具を軽易に取り付けることができる。
【００１２】
また、前記固定用具にはごく薄い金属板や嵩張らない樹脂製構造体等を使用することにより携帯情報端末機器の外観を損ねることがなく、携帯情報端末機器へのファッション性が高い携帯情報端末機器用ストラップを提供することができる。
【００１３】
さらに、ストラップ紐の他端に指輪状リングをつなぎ、指を通しておくことで、滑り落ちや落下防止の効果を高めることができる。
【図面の簡単な説明】
【００１４】
【図１】本考案による携帯情報端末機器用ストラップの俯瞰図である。
【図２】携帯情報端末機器に本考案による携帯情報端末機器ストラップを適用した参考図である。
【図３】指輪状リングで、２本の相互に連携させた指輪状リングを開くことで、その形状を変化させた様子を示す参考図である。
【図４】指輪状リングで、２本の相互に連携させた指輪状リングを開き携帯情報端末機器を立ち位置で支える様子を示す参考図である。
【図５】指輪状リングで、宝石等で装飾を施こした参考図である。
【考案を実施するための形態】
【００１５】
携帯情報端末機器ストラップは、図1に示すように、固定用具、ストラップ紐、構造体連結金具及び指輪状リングからなり、携帯情報端末機器ストラップの使用に先立ち、予めこれらのストラップ紐、構造体連結金具及び指輪状リングを結合しておき、前記ストラップ紐と前記固定用具を結わえておく。さらに携帯情報端末機器（本考案の構成には含まず。）の外面にある螺子（本考案の構成品には含まず。）を取り外し、はずした前記螺子を利用して前記固定用具を携帯情報端末機器の外面に固定することで、携帯情報端末機器ストラップとして機能させる。
【実施例１】
【００１６】
以下、図１を参照して、本考案の携帯情報端末機器ストラップ２１は、予めストラップ紐９と固定用具１を結び合わせ、指輪状リング１０を構造体連結金具１１を用いて、ストラップ紐９と組み立てておく。
【００１７】
図１及び図２を参照に、あらかじめ取り外しておいた情報端末機器の２個の螺子７を用いて、固定用具１の貫通孔３を介して携帯情報端末機器５に固定し、携帯情報端末機器ストラップ２１として機能させる。
【００１８】
図１及び図２において、例示する角形貫通孔２は、固定用具１を取り付ける部位に携帯情報端末機器５の外部入出力用のコネクタがある場合の外部からのコネクタ接続部位を示す。なお、角型貫通孔２は対象とする携帯情報端末機器にはコネクタが統一して使用されるため標準的に開けておくものとして、本考案では示している。
【００１９】
図１及び図２に示す固定用具１は、携帯情報端末機器５の螺子取り付けの構造的な配慮及び外部との接続のコネクタの電気的な接触を確保するため、螺子長さ及びコネクタの嵌合長の１／２０から１／１０の厚みの金属板又は合成樹脂構造物として、構造的及び電気的な動作の安全を確保しておく。
【実施例２】
【００２０】
携帯情報端末機器５と常に手近に位置する携帯情報端末機器ストラップ２１を活用して、携帯情報端末機器５により、動画の再生視聴、テレビ電話を利用する際及びハンズフリー通話を実現させる事例として、常に手持ちではなく机上等に手放しで立てて利用することが多い、このとき携帯情報端末機器ストラップ２１の指輪状リング１０の２本の指輪状リングを開いて、形状を変化させ、携帯情報端末機器５を立ち位置で利用できると長時間の利用などに疲労が少なく、使用や通話中にメモをとるなど作業が可能となる。
【００２１】
図３には指輪状リング１５の形状を変化させる指輪状リング１５をヒンジ付きの２つの指輪状リング構造の例を示しているが、２本の指輪状リンク１０ａ及び１０ｂを開くことにより携帯情報端末機器５の背面を支える携帯情報端末機器ストラップ２１とする。
【実施例３】
【００２２】
携帯情報端末機器ストラップ２１にファッション性を付加するには、図５に例示するように指輪状リング１０の外周に宝石や人工宝石を取り付けることにより携帯情報端末機器ストラップ２１を豪華に見せ、購買力を高める効果を期待する事例を示している。                                                    
【符号の説明】
【００２３】
１  固定用具
２  外部入出力コネクタ用の貫通孔
３  取り付け螺子用貫通孔
４  ストラップ紐を挿通させる為の貫通孔
５  携帯情報端末機器（本考案の構成品ではない。）
７  固定用具取り付け用螺子（本考案の構成品ではない。）
９  ストラップ紐
１０  指輪状リング
１１  構造体連結金具
１２  装飾付き指輪状リング
１３  ２本のリングを連結するヒンジ
１４  ２本のリングを固着させる爪機構
１５  ２本のリングをもつ指輪状リング                                                                        
２１  携帯情報端末機器用ストラップ
【手続補正３】
【補正対象書類名】図面
【補正対象項目名】図３
【補正方法】変更
【補正の内容】
【図３】
0003180079.tif 000009
【手続補正４】
【補正対象書類名】図面
【補正対象項目名】図４
【補正方法】変更
【補正の内容】
【図４】
0003180079.tif 000010